(57)【要約】【課題】フィン群の揺動を手動で駆動する際の操作性に優れるとともにフィン群をモータで確実に駆動できるスイングレジスタを提供する。【解決手段】スイングレジスタに、筒状をなし内部に空調空気が流れるリテーナ部材と、操作フィンと操作フィンに接続されている少なくとも一つの一般フィンとがリテーナ部材の内部に互いに並設されつつ軸支されてなるフィン群と、モータと、モータと操作フィンとを離接可能に連結しモータと操作フィンとを接続したときにモータの回転運動を操作フィンに伝達しフィン群を揺動させるクラッチ手段と、モータの回転運動をオンオフ切換えするスイッチ手段と、を設け、このうちクラッチ手段は、スイッチ手段のオン動作に連動してモータと操作フィンとを接続し、スイッチ手段のオフ動作に連動してモータと操作フィンとの接続を解除するようにする。【選択図】図１
2006327538.tif 000002
【特許請求の範囲】
【請求項１】
筒状をなし内部に空調空気が流れるリテーナ部材と、操作フィンと該操作フィンに接続されている少なくとも一つの一般フィンとが該リテーナ部材の内部に互いに並設されつつ軸支されてなるフィン群と、モータと、該モータと該操作フィンとを離接可能に連結し該モータと該操作フィンとを接続したときに該モータの回転運動を該操作フィンに伝達し該フィン群を揺動させるクラッチ手段と、該モータの回転運動をオンオフ切換えするスイッチ手段と、を備え、
該クラッチ手段は該スイッチ手段のオン動作に連動して該モータと該操作フィンとを接続し、該スイッチ手段のオフ動作に連動して該モータと該操作フィンとの接続を解除することを特徴とするスイングレジスタ。
【請求項２】
前記クラッチ手段は、前記モータに接続され前記モータの回転運動に伴って往復運動する運動部材と、該運動部材に隣接する弾性部材と、該弾性部材に隣接し前記操作フィンに接続されている従動部材と、該運動部材に隣接し前記スイッチ手段に接続されている接続部材と、を持ち、
該接続部材は、前記スイッチ手段のオン動作に連動して該運動部材を押圧し該運動部材と該弾性部材と該従動部材とを接続し、前記スイッチ手段のオフ動作に連動して該運動部材への押圧を解除し該運動部材と該弾性部材と該従動部材との接続を解除する請求項１に記載のスイングレジスタ。
【請求項３】
前記接続部材は、大径の押圧部と小径の解除部とが同軸的に形成され前記運動部材に隣接している接続部を持ち、前記スイッチ手段のオン動作とオフ動作とに連動して回転し、
前記スイッチ手段のオン動作に連動して該接続部材が回転すると、該押圧部が該運動部材に対面して該運動部材を押圧し、該運動部材と該弾性部材と該従動部材とを接続し、
前記スイッチ手段のオフ動作に連動して該接続部材が回転すると、該解除部が該運動部材に対面して該運動部材への押圧を解除し、該運動部材と該弾性部材と該従動部材との接続を解除する請求項２に記載のスイングレジスタ。
【請求項４】
前記スイッチ手段は、前記リテーナ部材の外部に表出し往復運動する操作部と、該操作部に接続され該操作部の往復運動に従動して往復運動する連絡部と、該連絡部と前記クラッチ手段とに接続され該連絡部の往復運動を前記クラッチ手段に伝達する伝達部と、を持つ請求項１〜３の何れかに記載のスイングレジスタ。
【請求項５】
前記連絡部は、ソレノイドからなる請求項４に記載のスイングレジスタ。
【発明の詳細な説明】
【技術分野】
【０００１】
本発明は、フィン群の揺動をモータと手動との二通りで駆動するスイングレジスタに関する。
【背景技術】
【０００２】
レジスタは、フィン群の揺動角度を調整して空調空気の風向を調整する装置である。スイングレジスタは、レジスタの一種であり、フィン群の揺動をモータで駆動して、空調空気の風向を自動的に調整する。
【０００３】
従来のスイングレジスタにおいては、モータは操作フィンに常に接続されている。よって、モータが回転しフィン群の揺動をモータにて駆動しているときに操作者がフィン群の揺動を手動で駆動する場合には、操作フィンには手動による駆動力とモータによる駆動力との双方が作用する。このとき操作フィンやモータには大きな荷重が負荷され、負荷される荷重が過大であれば、スイングレジスタが破損する場合がある。このため、一般には、操作フィンとモータとはトルクリミッタと呼ばれる装置を介して接続されている（特許文献１、２参照）。操作フィンとモータとの間にトルクリミッタを介在させることで、手動による駆動力がモータに伝達されることはなく、モータに過大な荷重が負荷される不具合を回避できる。操作フィンとモータとがトルクリミッタを介して接続されている従来のスイングレジスタを模式的に表す要部拡大斜視図を図６に示し、トルクリミッタの動作を以下に説明する。
【０００４】
図６に示すスイングレジスタは、リテーナ部材（図略）と、縦フィン群１０１と、横フィン群１０２と、モータ（図略）と、クラッチ手段１０４と、スイッチ手段（図略）と、フィン群手動操作手段１０８と、を備える。リテーナ部材にはエアコンディショナー（図略）が接続されており、リテーナ部材の内部には空調空気が流れるようになっている。縦フィン群１０１はリテーナ部材の空調空気流れの上流側に配設されている。縦フィン群１０１は一つの縦操作フィン１１０と複数の縦一般フィン１１５とを備えている。縦操作フィン１１０と縦一般フィン１１５とは略同形の短冊状をなし、長手方向の両端部に縦枢支軸１１１を持つ。縦操作フィン１１０と縦一般フィン１１５とは縦枢支軸１１１を上下に向けてリテーナ部材に枢支されている。縦操作フィン１１０と縦一般フィン１１５とは、各々空調空気流れの上流側に、上方に延びる縦連結軸１１２を持つ。各縦連結軸１１２は縦連結桿１１８で連結されている。詳しくは、縦連結桿１１８は各縦連結軸１１２に対応する位置に孔状の縦連結孔１１３を持ち、縦連結孔１１３に縦連結軸１１２が挿通されている。縦操作フィン１１０と縦一般フィン１１５とは、縦連結軸１１２が縦連結桿１１８で連結されているために、縦枢支軸１１１を中心に同期して揺動する。そして空調空気の風向を図６中左右方向に調整する。
【０００５】
横フィン群１０２は一つの横操作フィン１２０と複数の横一般フィン１２５とを備えている。横操作フィン１２０と横一般フィン１２５とは略同形の短冊状をなす。横操作フィン１２０と横一般フィン１２５とは、長手方向の両端部に横枢支軸１２１を持つ。横操作フィン１２０と横一般フィン１２５とは、横枢支軸１２１を左右に向けてリテーナ部材に枢支されている。横操作フィン１２０と横一般フィン１２５とは、各々空調空気流れの上流側に、右方に延びる横連結軸１２２を持つ。各横連結軸１２２は横連結桿１２８で連結されている。詳しくは、横連結桿１２８は各横連結軸１２２に対応する位置に孔状の横連結孔１２３を持ち、横連結孔１２３に横連結軸１２２が挿通されている。横操作フィン１２０と横一般フィン１２５とは、横連結軸１２２が横連結桿１２８で連結されているために、横枢支軸１２１を中心に同期して揺動する。そして空調空気の風向を図６中上下方向に調整する。
【０００６】
横操作フィン１２０には、フィン群手動操作手段１０８が取り付けられている。フィン群手動操作手段１０８は縦フィン群１０１及び横フィン群１０２を手動で揺動させるための部材である。フィン群操作手段は略角筒状に形成されている操作端１８０と、操作端１８０の空調空気流れ上流側に形成されている操作接続部１８１とを持つ。操作接続部１８１は、ピニオン部材１８２とラック部材１８３とを持つ。ピニオン部材１８２は縦操作フィン１１０の空調空気流れ下流側の部分を挟持する挟持部１８４をもつ。ピニオン部材１８２のうち、挟持部１８４に略対向する位置には、歯が形成されている。ラック部材１８３は、ピニオン部材１８２と噛合するラックを持つ。ラック部材１８３のうちラックが形成されている面に対向する面は操作端１８０に固着されている。操作端１８０の内部には横操作フィン１２０が挿通されている。操作端１８０は横操作フィン１２０上を左右にスライドできるようになっている。
【０００７】
操作者が操作端１８０を左右にスライドさせると、ラック部材１８３が操作端１８０に従動して左右にスライドする。そして、ラック部材１８３と噛合しているピニオン部材１８２が回転する。ピニオン部材１８２は、縦操作フィン１１０を挟持しているため、ピニオン部材１８２が回転すると同時に縦操作フィン１１０は縦枢支軸１１１を中心に揺動する。そして、縦一般フィン１１５は縦操作フィン１１０と同期して揺動する。
【０００８】
一方、モータには、モータの回転運動をオンオフ切換えするスイッチ手段（図略）と、モータの回転を縦フィン群１０１に伝達するクラッチ手段１０４とが接続されている。スイッチ手段のオン動作によって、モータの回転運動が開始する。スイッチ手段のオフ動作によって、モータの回転運動が停止する。クラッチ手段１０４は、モータに接続されモータの回転運動に伴って往復運動する運動部材１５０と、縦操作フィン１１０の空調空気流れ上流側を挟持する伝達ギア部材１４７と、運動部材１５０と伝達ギア部材１４７との間に介装されているトルクリミッタ１９０とを備えている。運動部材１５０にはラックが形成されている。トルクリミッタ１９０は、同軸的に配されている２つのギアと、２つのギアを圧接させる付勢手段１９５とを備えている。トルクリミッタ１９０を構成する２つのギアの一方である主動ギア１９１は、運動部材１５０のラックと噛合している。トルクリミッタ１９０を構成する２つのギアの他方である従動ギア１９２は、伝達ギア部材１４７と噛合している。スイッチ手段のオン動作によりモータが回転運動し、運動部材１５０が往復運動すると、運動部材１５０のラックと噛合している主動ギア１９１が回転する。付勢手段１９５によって主動ギア１９１に圧接している従動ギア１９２もまた、主動ギア１９１の回転に従動して回転する。従動ギア１９２が回転すると、従動ギア１９２と噛合している伝達ギア部材１４７が回転する。そして、伝達ギア部材１４７に挟持されている縦操作フィン１１０が揺動する。縦操作フィン１１０の揺動に同期して縦一般フィン１１５が揺動する。よって、モータに駆動されて縦フィン群１０１が空調空気の流路を左右に調整する。
【０００９】
ここで、従動ギア１９２の回転は主動ギア１９１に伝達されないようになっている。すなわち、従動ギア１９２と主動ギア１９１との接触部分は、従動ギア１９２を回転させると滑るようになっており、従動ギア１９２を回転させる時には主動ギア１９１は回転しない。このため、操作者がフィン群手動操作手段１０８の操作端１８０を左右にスライドさせると、縦操作フィン１１０には、ピニオン部材１８２およびラック部材１８３を介して手動による駆動力が作用する。よって、縦操作フィン１１０が揺動する。このとき、縦操作フィン１１０に接続されている従動ギア１９２のみが回転し、主動ギア１９１は回転しない。したがって、モータには手動による駆動力が作用せず、モータに過大な荷重が負荷されることはない。
【００１０】
ところで、主動ギア１９１は付勢手段１９５によって従動ギア１９２方向に付勢されているために、従動ギア１９２を回転させるためには付勢手段１９５による付勢力の分だけ大きな荷重が必要になる。このため、トルクリミッタ１９０を動作させ縦フィン群１を手動で揺動させる際には、大きな操作力を要する。したがって、図６に示す従来のスイングレジスタは、フィン群を手動で揺動させる際の操作性に劣る。付勢手段１９５の付勢力を小さく設定すると、従動ギア１９２を回転させるのに要する荷重が小さくて済み、フィン群を手動で揺動させる際の操作性が向上する。しかし、付勢手段１９５の付勢力を小さくすると、高温時やフィン群に他部材が干渉している場合などに、主動ギア１９１の回転が従動ギア１９２に確実に伝達しなくなるおそれがある。よって、フィン群を手動で揺動させる際の操作性に優れるとともにフィン群をモータで確実に駆動できるスイングレジスタの開発が望まれていた。
【特許文献１】特開平１１−３１００３４７号公報
【特許文献２】特開２００１−３０７５０号公報
【発明の開示】
【発明が解決しようとする課題】
【００１１】
本発明は上記事情に鑑みて成されたものであり、フィン群の揺動を手動で駆動する際の操作性に優れるとともにフィン群をモータで確実に駆動できるスイングレジスタを提供することを目的とする。
【課題を解決するための手段】
【００１２】
上記課題を解決する本発明のスイングレジスタは、筒状をなし内部に空調空気が流れるリテーナ部材と、操作フィンと操作フィンに接続されている少なくとも一つの一般フィンとがリテーナ部材の内部に互いに並設されつつ軸支されてなるフィン群と、モータと、モータと操作フィンとを離接可能に連結しモータと操作フィンとを接続したときにモータの回転運動を操作フィンに伝達しフィン群を揺動させるクラッチ手段と、モータの回転運動をオンオフ切換えするスイッチ手段と、を備え、
クラッチ手段はスイッチ手段のオン動作に連動してモータと操作フィンとを接続し、スイッチ手段のオフ動作に連動してモータと操作フィンとの接続を解除することを特徴とするスイングレジスタ。
【００１３】
本発明のスイングレジスタは、以下の構成（１）〜（４）の何れかを備えることが好ましい。
【００１４】
（１）上記クラッチ手段は、上記モータに接続され上記モータの回転運動に伴って往復運動する運動部材と、運動部材に隣接する弾性部材と、弾性部材に隣接し上記操作フィンに接続されている従動部材と、運動部材に隣接し上記スイッチ手段に接続されている接続部材と、を持ち、接続部材は、上記スイッチ手段のオン動作に連動して運動部材を押圧し運動部材と弾性部材と従動部材とを接続し、上記スイッチ手段のオフ動作に連動して運動部材への押圧を解除し運動部材と弾性部材と従動部材との接続を解除する。
【００１５】
（２）（１）の場合、上記接続部材は、大径の押圧部と小径の解除部とが同軸的に形成され上記運動部材に隣接している接続部を持ち、上記スイッチ手段のオン動作とオフ動作とに連動して回転し、上記スイッチ手段のオン動作に連動して接続部材が回転すると、押圧部が運動部材に対面して運動部材を押圧し、運動部材と弾性部材と従動部材とを接続し、上記スイッチ手段のオフ動作に連動して接続部材が回転すると、解除部が運動部材に対面して運動部材への押圧を解除し、運動部材と弾性部材と従動部材との接続を解除する。
【００１６】
（３）（１）または（２）の場合、上記スイッチ手段は、上記リテーナ部材の外部に表出し往復運動する操作部と、操作部に接続され操作部の往復運動に従動して往復運動する連絡部と、連絡部と上記クラッチ手段とに接続され連絡部の往復運動を上記クラッチ手段に伝達する伝達部と、を持つ。
【００１７】
（４）（３）の場合、上記連絡部は、ソレノイドからなる。
【発明の効果】
【００１８】
本発明のスイングレジスタにおいて、クラッチ手段によってモータとフィン群とを接続できる。このため、フィン群の揺動をモータで駆動することができる。
【００１９】
また、モータによってフィン群が駆動されていないとき、すなわち、手動でフィン群を駆動するときにはクラッチ手段によってモータとフィン群とが遮断されている。従来のスイングレジスタでは、モータとフィン群とが常時接続していたため、トルクリミッタを動作させるのに大きな荷重が必要だった。本発明のスイングレジスタでは、手動でフィン群を駆動する時にクラッチ手段がモータとフィン群との接続を解除する。このため、本発明のスイングレジスタでは、手動による駆動力がモータに伝達されることがない。また、手動でフィン群を駆動するときにはクラッチ手段がモータとフィン群との接続を解除するため、従来トルクリミッタを動作させるのに要していた荷重が不要になる。よって、フィン群を手動で揺動させる際に要する荷重は小さくて済む。
【００２０】
本発明のスイングレジスタが構成（１）を備える場合には、クラッチ手段を簡単な構造で構成できる。そしてクラッチ手段はスイッチ手段のオン動作に連動してモータと操作フィンとを確実に接続でき、スイッチ手段のオフ動作に連動してモータと操作フィンとの接続を確実に解除できる。
【００２１】
本発明のスイングレジスタが構成（２）を備える場合には、クラッチ手段の接続部材を簡単な構造で構成できる。そして接続部材はスイッチ手段のオン動作に連動して運動部材を確実に押圧でき、スイッチ手段のオフ動作に連動して運動部材の押圧を確実に解除できる。
【００２２】
本発明のスイングレジスタが構成（３）を備える場合には、スイッチ手段を簡単な構造で構成できる。そして、スイッチ手段のオンオフ動作をクラッチ手段に確実に伝達できる。
【００２３】
本発明のスイングレジスタが構成（４）を備える場合には、操作部のストロークが小さくて済む。このため、スイッチ手段がオンオフ動作するときの、操作部の突出高さまたは陥没高さを小さく設定でき、スイングレジスタが意匠性に優れたものとなる。
【発明を実施するための最良の形態】
【００２４】
本発明のスイングレジスタは、図６に示すスイングレジスタと同様に、縦フィン群と横フィン群との両方を備えても良い。あるいは、縦フィン群と横フィン群との何れか一方のみを備えても良い。モータは縦フィン群と横フィン群との何れか一方のみの揺動を駆動しても良いし、縦フィン群と横フィン群との両方の揺動を駆動しても良い。
【００２５】
本発明のスイングレジスタは、空調空気の風向を調整するものであり、自動車用のエアコンディショナーや家庭用のエアコンディショナーなどに代表される種々の空調装置に接続できる。
【００２６】
本発明のスイングレジスタにおいては、図６に示す従来のスイングレジスタと同様のフィン群手動操作手段を設けても良いし、設けなくても良い。例えば、フィン群が縦フィン群と横フィン群との一方のみである場合には、フィン群手動操作手段を特に設けなくても、フィン群の揺動を手動で駆動できる。
【実施例】
【００２７】
以下、本発明のスイングレジスタを図面を基に説明する。
【００２８】
（実施例）
実施例のスイングレジスタは、上記構成（１）〜（４）を備える。実施例のスイングレジスタは、自動車のインストルメントパネルに埋設され、自動車のエアコンディショナーに接続されている。実施例のスイングレジスタを模式的に表す要部拡大斜視図を図１に示す。実施例のスイングレジスタにおけるクラッチ手段の動作を説明する説明図を図２〜６に示す。図２および図５は実施例のスイングレジスタを前後方向に切断した断面を模式的に表し、接続部材、運動部材、弾性部材および箱状部の動作を表す説明図である。図３および図４は接続部材およびスイッチ手段を左方からみた側面を模式的に表し、接続部材およびスイッチ手段の動作を表す説明図である。以下、実施例において上、下、左、右、前、後とは、図１に示す上、下、左、右、前、後を指すものとする。
【００２９】
実施例のスイングレジスタは、リテーナ部材（図略）と、縦フィン群１と、横フィン群２と、モータ３と、クラッチ手段４と、スイッチ手段７と、フィン群手動操作手段８とを備える。
【００３０】
実施例のスイングレジスタにおいて、リテーナ部材と、縦フィン群１と、横フィン群２と、フィン群手動操作手段８とは、図６に示す従来のスイングレジスタと同じものである。すなわち、縦フィン群１は一つの縦操作フィン１０と複数の縦一般フィン１５とを備え、縦操作フィン１０と縦一般フィン１５とは縦連結桿１８で連結されている。横フィン群２は一つの横操作フィン２０と複数の横一般フィン２５とを備え、横操作フィン２０と横一般フィン２５とは横連結桿２８で連結されている。フィン群手動操作手段８は、横操作フィン２０に取り付けられ、操作端８０と操作接続部８１とを持つ。操作接続部８１は、ピニオン部材８２とラック部材８３とを持つ。なお、本実施例において、フィン群は縦フィン群１からなる。
【００３１】
クラッチ手段４は、従動部材４０と、運動部材５０と、接続部材６０と、弾性部材６７とを備える。従動部材４０は、箱状部４１と、第１の伝達ギア部材４７と、第２の伝達ギア部材４８とを備える。箱状部４１は、平板状の底部４２と、底部４２の前端から上方に延びる前立壁４３と、底部４２の後端から上方に延びる後立壁４４とを備える。前立壁４３の前面にはラックが形成されている。箱状部４１は、上面と左面と右面とが開口した箱状をなす。第１の伝達ギア部材４７は、縦操作フィン１０の空調空気流れ上流側を挟持している。第２の伝達ギア部材４８は、第１の伝達ギア部材４７に噛合するとともに、前立壁４３のラックに噛合している。運動部材５０および接続部材６０の一部と弾性部材６７とは、箱状部４１の内部に収容されている。
【００３２】
運動部材５０は、左端がモータ３に接続され、右端が箱状部４１の内部に収容されている。詳しくは、運動部材５０は、屈曲した角柱状の運動部５１と、運動部５１とモータ３とを接続しモータ３の回転運動を往復運動に変換する変換部５２とを持つ。変換部５２は、運動部５１の左端に形成されている運動部側変換部５３と、一端がモータ３に接続され他端が運動部側変換部５３に接続されているモータ側変換部５５とを持つ。運動部側変換部５３は板状をなし、後方に開口する長孔状の変換孔５４をもつ。モータ側変換部５５は、短冊状の連結板５６と、連結板５６の後面の一端部に形成され連結板５６と直交して延びる第１軸５７と、連結板５６の前面の他端部に形成され連結板５６と直交して延びる第２軸５８とを持つ。第１軸５７はモータ３の回転軸に接続している。第２軸５８は運動部側変換部５３の変換孔５４に挿入されている。運動部５１の左側部分と右側部分とはそれぞれ左右に延び、左側部分は右側部分よりも前側に配されている。左側部分と右側部分とは前後に延びる中央部分で連結されている。運動部５１は鉤状をなし全体として左右に延びている。
【００３３】
弾性部材６７は長尺状をなし、長手方向を左右に向けて箱状部４１の内部に収容されている。弾性部材６７は、運動部材５０の右側部分に隣接し、右側部分の前側に配されている。弾性部材６７は前立壁４３の後面に隣接している。弾性部材６７の左端と右端とには、それぞれ前立壁４３方向に膨出する膨出部６８が形成されている。膨出部６８は前立壁４３に当接している。
【００３４】
接続部材６０は、運動部材５０に隣接しスイッチ手段７に接続されている。スイッチ手段７は、操作部７０と、連絡部７１と、伝達部７２とを持つ。操作部７０は略柱状をなし、リテーナ部材の外部に表出している。リテーナ部材は筒状のリテーナ部（図略）とリテーナ部の前端を覆う枠状のベゼル部（図略）とからなり、ベゼル部の左側部には前後に延びる貫通孔（図略）が形成されている。操作部７０は貫通孔内に収容され、表面がベゼル部の表面と略面一となるオン位置と、表面がベゼル部の表面よりも突出するオフ位置との間で往復移動する。操作部７０には、操作部７０をオン位置とオフ位置とでそれぞれロックするプッシュロック機構（図略）が接続されている。操作部７０の背面には棹状の連絡部７１が連結されている。連絡部７１は操作部７０から後方に延びている。連絡部７１の後端には伝達部７２が形成されている。伝達部７２は、連絡部７１から後方に延びる二つの伝達棹７３を持つ。二つの伝達棹７３は互いに離間しつつ左右に並列されている。二つの伝達棹７３の後端には左右に延びる伝達貫通孔７４が形成され、それぞれの伝達貫通孔７４には、円柱状の枢支軸７５の左端と右端とがそれぞれ挿通されている。スイッチ手段７の背面側には、モータ３の回転運動をオンオフ切換えするスイッチ体７９が配されている。スイッチ体７９は、スイッチ手段７のオンオフ操作に伴って、モータ３の回転運動をオンオフする。操作部７０をオン位置に配すると操作部７０に押圧されたスイッチ体７９はモータ３を回転運動させ、操作部７０をオフ位置に配すると操作部７０に押圧されたスイッチ体７９はモータ３の回転運動を停止する。クラッチ手段４の各部材は、後側から前側に向けて、接続部材６０、運動部材５０、弾性部材６７、前立壁４３の順に配列している。
【００３５】
接続部材６０は、軸部６１と接続部６５とを持つ。軸部６１は長尺の円柱状に形成され、左端に板状の接続操作端６２を持つ。軸部６１の右端には接続部６５が形成されている。接続部６５は大径の押圧部６６と小径の解除部６９とが同軸的に形成されている断面卵形の柱状をなす。接続部６５は軸部６１から右方に延びている。接続操作端６２の前側部分には左右に延びる接続貫通孔（図略）が形成されている。接続貫通孔には枢支軸７５が挿通され、接続部材６０はスイッチ手段７に接続されている。
【００３６】
スイッチ手段７がオフ動作している状態、すなわち、操作部７０がオフ位置に配されている状態では、図２に示すように、接続部材６０は押圧部６６を上方に向ける。解除部６９は運動部材５０に対面する。この状態では、接続部材６０、運動部材５０、弾性部材６７および前立壁４３は互いに非常に小さい荷重で当接している。また、図１に示すように、弾性部材６７は膨出部６８の前側頂点のみで前立壁４３に当接している。このため、箱状部４１は弾性部材６７、運動部材５０、接続部材６０に対して滑り、運動部材５０と弾性部材６７と従動部材４０との接続が解除される。すなわち、スイッチ手段７のオフ動作に連動して従動部材４０および縦フィン群１は弾性部材６７、運動部材５０、接続部材６０およびモータ３から遮断され、クラッチ手段４はモータ３と操作フィンとの接続を解除する。
【００３７】
スイッチ手段７がオフ動作している状態で、操作者が操作端８０を左右にスライドさせると、図６に示す従来のスイングレジスタと同様に、ラック部材８３が操作端８０に従動して左右にスライドし、ラック部材８３と噛合しているピニオン部材８２が回転して、縦操作フィン１０が縦枢支軸１１を中心に揺動する。縦一般フィン１５は縦操作フィン１０と同期して揺動するため、縦フィン群１は左右に揺動する。このとき、縦操作フィン１０を挟持している第１の伝達ギア部材４７もまた回転し、第１の伝達ギア部材４７と噛合している第２の伝達ギア部材４８も回転する。そして、ラックが第２の伝達ギア部材４８と噛合している箱状部４１が左右に往復運動する。ここで、上述したように、スイッチ手段７がオフ動作している状態では、従動部材４０および縦フィン群１は弾性部材６７、運動部材５０、接続部材６０およびモータ３から遮断される。このため、操作端８０を左右にスライドさせ、縦フィン群１を手動で揺動させる際に要する荷重は第１の伝達ギア部材４７および第２の伝達ギア部材４８を回転させ箱状部４１を往復運動させるのに要する小さい荷重のみで済む。
【００３８】
操作部７０を押圧してオン位置に配し、スイッチ手段７をオン動作させると、スイッチ体７９が押圧されてモータ３の回転運動が開始して運動部材５０が左右に往復運動する。また、スイッチ手段７をオン動作させると、図３に示すように、伝達部７２には連絡部７１を介して後方への力が作用する。そして、図４に示すように、伝達部７２は後方に移動する。伝達部７２が後方に移動すると、伝達部７２に軸支されている接続操作端６２が後方に向けて約４５°回転する。接続操作端６２の回転に伴って軸部６１と接続部６５とが回転し、図５に示すように、接続部６５の押圧部６６が運動部材５０に対面する。押圧部６６は大径に形成されているため、押圧部６６が運動部材５０に対面すると、押圧部６６は運動部材５０を前方向すなわち前立壁４３方向に押圧する。すると、運動部材５０は弾性部材６７に圧接し、弾性部材６７は圧縮しつつ前立壁４３に圧接する。このため、運動部材５０、弾性部材６７および従動部材４０（前立壁４３）は接続され、運動部材５０の往復運動に伴って弾性部材６７および箱状部４１が左右に往復運動する。箱状部４１が左右に往復運動すると、箱状部４１のラックと噛合している第２の伝達ギア部材４８が回転し、第２の伝達ギア部材４８と噛合している第１の伝達ギア部材４７が回転する。そして縦操作フィン１０と縦一般フィン１５とが同期して揺動し、縦フィン群１は左右に揺動する。よって、縦フィン群１の揺動がモータ３で駆動される。
【００３９】
スイッチ手段７がオン動作している状態で、スイッチ手段７をオフ動作させると、操作部７０にスイッチ体７９が押圧される。そしてスイッチ体７９はモータ３の回転運動を停止する。モータ３の回転運動が停止すると、運動部材５０の往復運動が停止し、縦フィン群１の揺動が停止する。また、スイッチ手段７をオフ動作させると、伝達部７２には連絡部７１を介して前方への力が作用する。そして、伝達部７２は前方に移動する。伝達部７２が前方に移動すると、伝達部７２に枢支されている接続操作端６２が前方に向けて約４５°回転する。接続操作端６２の回転に伴って、軸部６１と接続部６５とが回転し、図２に示すように、接続部６５の解除部６９が運動部材５０に対面する。解除部６９は小径に形成されているため、解除部６９が運動部材５０に対面すると、接続部６５による運動部材５０への押圧が解除される。よって、上述したように、運動部材５０と弾性部材６７と従動部材４０との接続が解除され、従動部材４０および縦フィン群１は弾性部材６７、運動部材５０、接続部材６０およびモータ３から遮断される。
【００４０】
また、スイッチ手段７がオン動作し、縦フィン群１の揺動がモータ３で駆動されているときに、操作者が接続操作端６２を左右にスライドさせて縦フィン群１の揺動を手動で駆動するときには、縦フィン群１（縦操作フィン１０）の揺動に伴って、第１の伝達ギア部材４７および第２の伝達ギア部材４８が回転し、箱状部４１が左右に移動する。このとき、弾性部材６７が前立壁４３に対して滑るため、弾性部材６７を介して箱状部４１（前立壁４３）に接続されている運動部材５０には手動による駆動力が伝達されない。よって、運動部材５０に接続しているモータ３には、手動による駆動力が伝達されず、モータ３に過大な荷重が負荷されることはない。
【００４１】
実施例のスイングレジスタでは、スイッチ手段７をオフ動作させたときに接続部材６０、運動部材５０、弾性部材６７および従動部材４０が非常に小さい荷重で当接し、従動部材４０（箱状部４１）が弾性部材６７、運動部材５０、接続部材６０に対して滑るようになっている。しかし、例えば、弾性部材６７が箱状部４１と圧接し、運動部材５０のみが従動部材４０と弾性部材６７とに対して滑るようにしてもよい。さらに、運動部材５０と弾性部材６７と従動部材４０（前立壁４３）とはスイッチ手段７をオフ動作させたときに互いに離間していても良い。何れの場合にも、スイッチ手段７をオフ動作させたときに運動部材５０と弾性部材６７と従動部材４０との接続が解除される。よって、縦フィン群１の揺動を手動で駆動したときに要する荷重が小さくて済む。
【００４２】
本発明のスイングレジスタにおいて、弾性部材６７を設けず、運動部材５０と従動部材４０（前立壁４３）とを直接隣接させても良い。この場合、スイッチ手段７をオン動作させたときに運動部材５０と従動部材４０（前立壁４３）とが接続し、スイッチ手段７をオフ動作させたときに運動部材５０と従動部材４０（前立壁４３）との接続が解除するように、運動部材５０や前立壁４３の形状や材料などを適宜調整すればよい。なお、運動部材５０と従動部材４０（前立壁４３）との間に弾性部材６７を介在させることで、スイッチ手段７のオン動作時に運動部材５０と従動部材４０とを確実に接続し、スイッチ手段７のオフ動作時に運動部材５０と従動部材４０との接続を確実に解除できる。弾性部材６７の弾性によって、運動部材５０や従動部材４０などの寸法誤差を吸収できるためである。本実施例においては、弾性部材６７としてシリコンゴムからなるものを用いているが、例えば金属バネ等の他の弾性材料からなるものを用いても良い。金属バネからなる弾性部材は熱変性し難い。このため、金属バネからなる弾性部材は空調空気の温度等に関わらず正確に動作する利点がある。
【図面の簡単な説明】
【００４３】
【図１】実施例のスイングレジスタを模式的に表す要部拡大斜視図である。
【図２】実施例のスイングレジスタにおけるクラッチ手段の動作を説明する説明図である。
【図３】実施例のスイングレジスタにおけるクラッチ手段の動作を説明する説明図である。
【図４】実施例のスイングレジスタにおけるクラッチ手段の動作を説明する説明図である。
【図５】実施例のスイングレジスタにおけるクラッチ手段の動作を説明する説明図である。
【図６】操作フィンとモータとがトルクリミッタを介して接続されている従来のスイングレジスタを模式的に表す要部拡大斜視図である。
【符号の説明】
【００４４】
１：縦フィン群、２：横フィン群、３：モータ、４：クラッチ手段、７：スイッチ手段、１０：縦操作フィン、１５：縦一般フィン、４０：従動部材、５０：運動部材、６０：接続部材、６７：弾性部材、７０：操作部、７１：連絡部、７２：伝達部、６６：押圧部、６９：解除部
【図１】
2006327538.tif 000003
【図２】
2006327538.tif 000004
【図３】
2006327538.tif 000005
【図４】
2006327538.tif 000006
【図５】
2006327538.tif 000007
【図６】
2006327538.tif 000008